(57)【要約】【課題】架空配電線への取り付け作業を1人で行うことができ、また、取り付ける電線の長さに応じて防具本体の長さを調節することが可能な伸縮式絶縁防護具を提供する。また、防具本体の長さを調節するにあたり、防具本体のスムーズな動きを確保して容易に作業を行えるようにする。【解決手段】伸縮式絶縁防護具１を、架空配電線（引下げ線１０２）の周囲を覆うように敷設可能であると共に、引下げ線１０２に沿って蛇腹状に伸縮可能である絶縁性の防具本体３と、この防具本体３の両端部に設けられて防具本体を挟持可能とする一対のクリップ４，５と、この一対のクリップ間に設けられて、防具本体３の伸縮方向の動きをガイドする伸縮自在のガイド部材６とを具備する。防具本体３を蛇腹構造のダクト部材で構成し、ガイド部材６をバネ部材や伸縮棒によって構成する。防具本体３を一対のシート部材で構成し、ガイド部材６を伸縮棒によって構成してもよい。【選択図】  図３
2013192302.tif 000002
【特許請求の範囲】
【請求項１】
架空配電線の周囲を覆うように敷設可能であると共に、前記架空配電線に沿って蛇腹状に伸縮可能である絶縁性の防具本体と、
この防具本体の前記架空配電線に沿った方向の両端部に設けられ、前記防具本体を挟持可能とする対をなす挟持部を備えた一対のクリップと、
前記一対のクリップ間に設けられ、前記防具本体の伸縮方向の動きをガイドする伸縮自在のガイド部材と
を具備することを特徴とする伸縮式絶縁防護具。
【請求項２】
前記防具本体は、前記架空配電線に沿った方向に伸縮可能な蛇腹構造のダクト部材によって構成され、
前記ガイド部材は、前記ダクト部材の側面に取り付けられたリング部材を挿通し、前記ダクト部材の両端部に固定されると共に前記クリップを貫通して取り付けられるバネ部材によって構成されることを特徴とする請求項１記載の伸縮式絶縁シート。
【請求項３】
前記防具本体は、前記架空配電線に沿った方向に伸縮可能な蛇腹構造のダクト部材によって構成され、
前記ガイド部材は、前記ダクト部材の側面に取り付けられたリング部材を挿通し、前記ダクト部材の両端部に固定されると共に前記クリップを貫通して取り付けられる伸縮棒によって構成されることを特徴とする請求項１記載の伸縮式絶縁シート。
【請求項４】
前記防具本体は、一方のクリップの一方の挟持部と他方のクリップの一方の挟持部との間に固定されて前記架空配電線に沿った方向に蛇腹状に折り畳み可能な第1のシート部材と、前記一方のクリップの他方の挟持部と前記他方のクリップの他方の挟持部との間に固定されて前記架空配電線に沿った方向に蛇腹状に折り畳み可能な第２のシート部材とによって構成され、
前記ガイド部材は、前記それぞれのシート部材の表裏を縫うように挿通し、前記クリップの挟持部に固定される伸縮棒により構成されることを特徴とする請求項１記載の伸縮式絶縁シート。
【発明の詳細な説明】
【技術分野】
【０００１】
この発明は、配電設備の引下げ線や架線などの架空配電線に取り付けられて、活線工法による作業時の感電、短絡事故などを有効に防止する伸縮式絶縁防護具に関する。
【背景技術】
【０００２】
従来より架空配電線などの配電設備を工事する際には、電線が通電した状態において工事を行う活線工法が採用されているが、このような作業においては、絶縁シートを架空配電線の所要箇所に予め被覆させておくことで、作業者が作業中に感電したり、誤って短絡させたりするなどの不測の事故の発生を防止するようにしている。
【０００３】
たとえば、図７に示すように、高圧架空線１００より分岐して下方のトランス１０１などに接続させる高圧引下げ線１０２おいては、引下線コネクタ１０３の取り付け、取り外し作業の際に、３線あるうちの中線のみに絶縁防護具（絶縁シート）１０４を取り付ける場合が多く、所要の幅と長さを備えた絶縁シート１０４を引下げ線１０２に沿った仮想線で折り畳んで引下げ線１０２を挟み込み、その後、絶縁シート１０４の両端部（上下端部）をクリップ１０５で挟持することで絶縁シート１０４を引下げ線１０２に固定するようにしている（特許文献１等参照）。
【先行技術文献】
【特許文献】
【０００４】
【特許文献１】特開平１０―２７１６２８号公報
【発明の開示】
【発明が解決しようとする課題】
【０００５】
しかしながら、上述のような絶縁防護具（絶縁シート）においては、取り付ける電線の長さに応じて、シートの長さを使い分ける必要があり、絶縁シートが長い場合には、複数人によって取り付け作業を行わなければならなくなるため作業が煩雑化すると共に、防護具自体を落下させてしまうなどの不都合がある。また、電線の長さが長い場合には、シートの長さが足りず、同図に示されるように、複数枚のシートを重ねて取り付けなければならなくなり、シートを重ねて取り付ける場合においては、隣り合うシート間に隙間ができて確実な絶縁性を確保することができなくなる不都合が懸念される。
【０００６】
本発明は、係る事情に鑑みてなされたものであり、架空配電線への防具の取り付け作業を1人でも行うことができ、また、取り付ける電線の長さに応じて防具本体の長さを調節することが可能な伸縮式絶縁防護具を提供することを主たる課題としている。また、防具本体の長さを調節するにあたり、防具本体のスムーズな動きを確保して容易に作業を行えるようにすることをも課題としている。
【課題を解決するための手段】
【０００７】
上記課題を達成するために、本発明にかかる伸縮式絶縁防護具は、架空配電線の周囲を覆うように敷設可能であると共に、前記架空配電線に沿って蛇腹状に伸縮可能である絶縁性の防具本体と、この防具本体の前記架空配電線に沿った方向の両端部に設けられ、前記防具本体を挟持可能とする対をなす挟持部を備えた一対のクリップと、前記一対のクリップ間に設けられ、前記防具本体の伸縮方向の動きをガイドする伸縮自在のガイド部材とを具備することを特徴としている。
【０００８】
このため、このような絶縁防護具を架空配電線の所要箇所に取り付ける場合には、絶縁防護具を縮めた状態にしておき、架空配電線の周囲を覆うように取り付け、絶縁防護具で覆いたい箇所の一端側に寄せて防具本体の両端部をクリップによって架空配電線と共に挟持しておく、その後、架空配電線の絶縁防護具で覆いたい側（防具本体を伸ばしたい側）のクリップを開いて固定状態を解除し、そのままクリップを架空配電線に沿って防護したい部分を覆うように移動させれば、防具本体はガイド部材により動きがガイドされつつスムーズに伸長されることとなる。そして、所望の長さに達した段階で、開いていたクリップを閉じて防具本体の端部を電線と共に挟持すれば、架空配電線の所望の範囲を覆うことが可能となる。このため、伸ばしたい側のクリップの移動量を調節することで、架空配電線の覆いたい範囲を容易に調節することができるので、絶縁防護具の取り付け作業を一人でも行うことが可能となり、また、絶縁が必要となる電線の長さに応じて防具本体の伸長量を調節できるので、絶縁防護具が電線の長さに依存することがなくなる。
【０００９】
ここで、前記防具本体は、前記架空配電線に沿った方向に伸縮可能な蛇腹構造のダクト部材によって構成され、前記ガイド部材は、前記ダクト部材の側面に取り付けられたリング部材を挿通し、前記ダクト部材の両端部に固定されると共に前記クリップを貫通して取り付けられるバネ部材によって構成するようにしてもよい。
【００１０】
このような構成によれば、クリップ間の距離を長くすれば、バネ部材に案内されてダクト部材がスムーズに伸長すると共にバネ部材自体も軸方向に伸長することとなり、また、クリップ間の距離を短くしようとすれば、ダクト部材はバネ部材にガイドされつつバネ部材のバネ力により積極的に収縮されることとなる。
【００１１】
また、バネ部材に代えて伸縮棒を用いるようにしてもよい。すなわち、ガイド部材を、ダクト部材の側面に取り付けられたリング部材を挿通し、ダクト部材の両端部に固定されると共にクリップを貫通して取り付けられる伸縮棒によって構成するようにしてもよい。このような構成は、バネ部材の伸縮を伸縮棒の伸縮で代用したものであり、バネ部材のようにバネ力を利用して防具本体を収縮させる機能はないが、防具本体のスムーズな動きを確保することが可能となる。なお、伸縮棒の内部にバネ部材を収容して伸縮棒を常時収縮する方向へ付勢するようにしてもよい。
【００１２】
さらに、伸縮式絶縁防護具は、防具本体を、一方のクリップの一方の挟持部と他方のクリップの一方の挟持部との間に固定されて前記架空配電線に沿った方向に蛇腹状に折り畳み可能な第1のシート部材と、前記一方のクリップの他方の挟持部と前記他方のクリップの他方の挟持部との間に固定されて前記架空配電線に沿った方向に蛇腹状に折り畳み可能な第２のシート部材とによって構成し、ガイド部材を、前記それぞれのシート部材の表裏を縫うように挿通し、前記クリップの挟持部に固定される一対の伸縮棒により構成するようにしてもよい。
【００１３】
このような構成においても、一方のクリップを緩めて架空配電線に沿って移動させることで、シート部材がガイド部材に沿って伸縮することとなり、上述した構成例と同様の作用効果を有する。
【発明の効果】
【００１４】
以上のように、本発明によれば、架空配電線の周囲を覆うように敷設可能であり、架空配電線に沿って伸縮可能である絶縁性の防具本体と、この防具本体の架空配電線に沿った方向の両端部に設けられて防具本体を挟持可能とする一対のクリップと、この一対のクリップ間に設けられ、防具本体の伸縮方向の動きをガイドする伸縮自在のガイド部材とを具備するようにしたので、架空配電線への防具の取り付け作業を1人でも行うことが可能となり、また、取り付ける電線の長さに応じて防具本体の長さを調節することが可能なる。このため、防護具の取り付け作業が容易になると共に、効率的に作用を行うことが可能となる。
また、バネ部材や伸縮棒などで構成されるガイド部材が設けられているので、防具本体の長さを調節するにあたり、防具本体のスムーズな動きを確保して容易に作業を行うことが可能となる。
【図面の簡単な説明】
【００１５】
【図１】図１は、本発明に係る伸縮式絶縁防護具を示す斜視図であり、第1の構成例を示す図である。
【図２】図２は、本発明に係る伸縮式絶縁防護具の防具本体とそれに取り付けられるクリップとの関係を説明する図であり、（ａ）はその側面図、（ｂ）は（ａ）を上方から見た図であり、クリップを全開にした状態を示し、（ｃ）は（ａ）を上方から見た図であり、クリップを閉じた状態を示す。
【図３】図３は、本発明に係る伸縮式絶縁防護具を電線（引下げ線）に取り付けた状態を示す図であり、（ａ）は、伸縮式絶縁防護具を縮めた状態を示す図であり、（ｂ）は、伸縮式絶縁防護具の下端部のクリップを下方へ下げて防具本体を伸ばした状態を示す図である。
【図４】図４（ａ）は、本発明に係る伸縮式絶縁防護具の他の構成例を示す側面図であり、図４（ｂ）はこの構成例で用いられるクリップを示す図である。
【図５】図５は、本発明に係る伸縮式絶縁防護具のさらに他の構成例を示す図であり、（ａ）は、この構成例で用いられるクリップを示す図、（ｂ）は、クリップが設けられた端部附近を示す斜視図である。
【図６】図６は、図５で示す絶縁防護具を伸ばした状態を示す斜視図である。
【図７】図７は、活線作業を行うにあたり、高圧引下線の中線に従来の絶縁シートを取り付けた状態を示す図である。
【発明を実施するための形態】
【００１６】
以下、この発明の実施例を図面に基づいて説明する。
【実施例１】
【００１７】
図１乃至図３において、本発明に係る伸縮式絶縁防護具の構成例が示されている。
この伸縮式絶縁防護具1は、架空配電線2の周囲を覆うように設けられ、架空配電線2（例えば、引き下げ線１０２）に沿って伸縮可能な絶縁性の防具本体3と、この防具本体3の架空配電線2に沿った方向の両端部に設けられて防具本体３を挟持可能とする一対のクリップ４，５と、この一対のクリップ間に設けられて防具本体３の伸縮方向の動きをガイドするガイド部材６とによって構成されている。
【００１８】
防具本体３は、この例では、フレキシブルダクトのような円筒状の蛇腹構造を有するダクト部材３０によって構成されているもので、側面に軸方向に沿って分断された分断部７が形成されている。防具本体３の周壁は、絶縁性の布、合成樹脂等でできており、長手方向の所定間隔毎に山部３０ａが形成され、この山部３０ａの内部に金属等で形成された剛性のある弾性変形可能な線状部材３１が埋設されている。
【００１９】
それぞれの線状部材３１は、全体がリング状に丸められ、一端が他端の内側にくるように予め形状が決められており、したがって、防具本体３は、分断されている箇所の一方の側縁が他方の側縁の内側に入り込むように収縮する形状となり、分断部７を押し開くことにより、防具本体３の内側に架空配電線２を側方から（防具本体３の軸線に対して直角方向から）挿入でき、また、防具本体３の内側から架空配電線２を外すことができるようになっている。
【００２０】
また、山部３０ａのそれぞれには、分断された箇所から両側に約９０度位相がずれた箇所（分断された箇所と防具本体３の軸心とを含む平面に対して直交すると共に防具本体３の軸心を通る平面がリングと交差する箇所）に絶縁素材で形成されたリング部材８が固定されている。
【００２１】
一対のクリップ４，５のそれぞれは、例えば硬質のプラスチック材料などで形成された対をなす対をなすクリップ片１０，１１と、これらクリップ片１０，１１をその略中間部で軸支する軸１２と、軸１２の位置でクリップ片１０，１１に外装された環状カバー１３とを備えている。それぞれのクリップ片１０，１１は、軸１２よりも先端側が挟持部１０ａ，１１ａを構成し、軸１２よりも基端側が操作部１０ｂ，１１ｂを構成している。
【００２２】
軸１２には、図示しないコイルばねが弾装され、その両端部がそれぞれ操作部１０ｂ、１１ｂの内側に延在しており、これにより操作部１０ｂ、１１ｂは、常時離反する方向に付勢され、また、前記挟持部１０ａ，１１ａは、互いに接近する方向に常時付勢されている。
【００２３】
各挟持部１０ａ、１１ａは、この例においては、それぞれ略直方体形状に形成されており、両者の互いに対向する内面には、これらの長さ方向に延設された凹部１０ｃ、１０ｄ；１１ｃ、１１ｄが形成されている。凹部１０ｃ、１１ｃは緩やかに湾曲した側面視で円弧状のくぼみに形成され、凹部１０ｄ、１１ｄは側面視で長方形状に形成されている。また、各挟持部１０ａ，１１ａの中間部には、両挟持部１０ａ，１１ａの対峙面と平行をなす貫通孔１０ｅ，１１ｅがそれぞれ穿設されている。
【００２４】
操作部１０ｂ、１１ｂの互いに反対を向く外面には、ヤットコ等の間接活線把持具で把持される平坦なグリップ面１０ｆ，１１ｆが形成されている。これらのグリップ面１０ｆ，１１ｆは、挟持部１０ａ，１１ａが閉じた状態において略平行となるように形成されている。
【００２５】
ガイド部材６は、防具本体３の側面に取り付けられた前記リング部材８を挿通し、防具本体３の軸方向の両端部に固定されると共に前記クリップ４，５の挟持部１０ａ，１１ａを貫通して取り付けられた線状のバネ部材６ａによって構成されている。すなわち、防具本体３の両端部には、リング状の線状部材３１が設けられていない把持代３０ｂが形成され、この把持代３０ｂに、軸方向に所定の間隔を空けて固定された対をなす円筒状の留め具１５ａ，１５ｂを固定し、この対をなす留め具１５ａ，１５ｂの間にクリップ４，５の挟持部１０ａ，１１ａの中間部を位置させ、リング部材８を挿通して延設されたガイド部材６（バネ部材６ａ）を、留め具１５ｂを挿通させると共にクリップ４，５の貫通孔１０ｅ，１１ｅを挿通させ、しかる後に最端にある固定具１５ｂに挿着して固定させている。
【００２６】
バネ部材６ａは、例えば、コイルバネの表面を伸縮するゴム素材等の弾性被覆材で包皮したもの等が用いられ、防具本体３が軸方向に最も縮んだ状態においても収縮する力が常時かかっているようになっている。また、バネ部材６ａは、防具本体３を最も伸ばした状態においても、それに追従して伸長するように形成され、クリップ４，５で電線２を防具本体３の外側から把持した状態においても把持力が損なわれることがない程度の弾性力に設定されている。
【００２７】
以上の構成において、例えば、架空配電線2としての引き下げ線１０２に絶縁防護具１を取り付ける場合には、防具本体３を縮めた状態にして上側のクリップ４の操作部１０ｂ，１１ｂをヤットコ等の間接活線把持具で把持し、防具本体３の分断部の上部を開いた状態にして引下げ線１０２の上端部へ近づけ、防具本体３を引下げ線１０２に沿わせつつ、引下げ線１０２を挟み込むようにして防具本体３を引下げ線１０２の周囲に取り付ける（防具本体３の内側に引下げ線１０２を側方から差し入れる）。
その後、上側のクリップ４の間接活線把持具による把持状態を解除し、下側のクリップ５の操作部１０ｂ、１１ｂを把持して防具本体３の分断部７の下部を開き、引下げ線１０２を防具本体３の内側に挿入し、図３（a）に示されるような状態を形成する。
【００２８】
その後、下側のクリップ５の操作部１０ｂ、１１ｂを把持して挟持部１０ａ，１１ａによる防具本体３の挟持を緩め、下側のクリップ５を下方へ引き下げると、図３（ｂ）に示されるように、上側のクリップ４の位置は固定されたまま、防具本体３がガイド部材６（バネ部材６ａ）にガイドされつつ伸長して引下げ線１０２を覆うことが可能となり、下側のクリップ５の固定位置を調整することで、引下げ線１０２の任意の範囲を絶縁防護することが可能となる。
【００２９】
また、絶縁防護具１を引下げ線１０２から取り外す場合には、上側または下側のクリップ４，５を間接活線把持具で把持して一方のクリップを開き、その状態でそのクリップを他方のクリップに向かって動かせば、防具本体３がガイド部材６（バネ部材６ａ）にガイドされつつバネ部材６ａのバネ力により収縮されることとなり、その状態で、一方のクリップを操作部を把持して（挟持部を開いて）防具本体３と共に引下げ線１０２から取り外し、その後、他方のクリップを操作部を把持して（挟持部を開いて）防具本体３と共に引下げ線１０２から取り外せば、絶縁防護具１の取り外しは完了する。
【００３０】
したがって、伸ばしたい側のクリップ４，５を移動させることで、引下げ線１０２の覆いたい範囲を調節することができるので、絶縁防護具１の取り付け作業は一人でも行うことが可能となり、また、絶縁が必要となる電線の長さに応じて防具本体３の伸長量を調節することが可能となるので、絶縁防護具１が電線の長さに依存することがなくなる。このため、絶縁防護具１の取り付け作業が容易になると共に、絶縁防護具１を複数用意する必要がないことから、効率的に作業を行うことが可能となる。
また、上述の構成においては、防具本体３やガイド部材６（バネ部材６ａ）が共に可撓性を有しているので、電線の直線部分のみならず、湾曲した電線等を防護するためにも用いることが可能となる。
【実施例２】
【００３１】
以上の構成においては、ガイド部材６を、防具本体３の側面に取り付けられたリング部材８を挿通し、クリップ４，５に設けられた貫通孔１０ｅ，１１ｅを挿通させて防具本体３の両端部に固定されるバネ部材６ａによって構成した例を示したが、図４に示されるように、バネ部材６ａの代わりに、伸縮棒６ｂを用いるようにしてもよい。
【００３２】
この伸縮棒６ｂは、前記構成例と同様に、ダクト部材の側面に取り付けられたリング部材８を挿通し、クリップ４，５に設けられた貫通孔１０ｅ，１１ｅを挿通して防具本体３の両端部に固定されるもので、この例では、径が徐々に大きくなる小筒状体１６、中筒状体１７、大筒状体１８を順次摺接可能に重ね合わせた三重筒構造に形成されている。それぞれの筒状体は、ほぼ同じ長さに形成され、隣合う筒状体は、外側にくる筒状体にスリット１７ａ，１８ａが形成され、内側にくる筒状体にスリットに摺動可能に挿入されるピン１６ｂ，１７ｂが外周に形成されて、筒状体の抜けが防止されている。
【００３３】
図１に示すバネ部材６ａにおいては、可撓性があることから、防具本体３の径がクリップ４，５の横幅よりも大きい場合でも挟持部１０ａ，１１ａに形成された貫通孔１０ｅ，１１ｅにバネ部材６ａを撓めて挿通させることが可能であるが、ガイド部材６が伸縮棒６ｂである場合には、可撓性がさほど期待できないので、防具本体３の径がクリップ４，５の横幅よりも大きい場合には、クリップ４，５の挟持部１０ａ，１０ｂの脇に貫通孔１０ｅ，１１ｅが形成された鍔部１０ｇ，１１ｇを設け、伸縮棒６ｂを撓めることなく挿通させるようにするとよい。
なお、他の構成は、前記構成例と同様であるので、同一箇所に同一符号を付して説明を省略する。
【００３４】
このような構成においても、引下げ線１０２に絶縁防護具１を取り付ける場合には、防具本体３を縮めた状態にして引下げ線１０２の上部に取り付け、下側のクリップ５をヤットコ等の間接活線把持具で把持して挟持状態を緩め（挟持部１０ａ，１１ａを開き）、その状態で下方へ移動させれば、上側のクリップ４の位置が保持されたまま防具本体３が伸長すると共に伸縮棒６ｂが伸長して引下げ線１０２の所望範囲を覆うことが可能となる。
【００３５】
また、引下げ線１０２を絶縁防護具１によって防護した状態から、絶縁防護具１を取り外すには、上側または下側のクリップ４，５を間接活線把持具で把持して一方のクリップを開き、その状態でそのクリップを他方のクリップに向かって動かせば、ダクト部材が伸縮棒６ｂに沿って収縮し、同時に、伸縮棒６ｂも収縮した状態となり、その状態で、一方のクリップを防具本体３と共に引下げ線１０２から取り外し、その後、他方のクリップを防具本体３と共に引下げ線１０２から取り外せば、絶縁防護具１の取り外しは完了する。
【００３６】
このような構成においては、伸縮棒６ｂに可撓性を持たせにくいため、電線の曲線部分には利用しにくいが、それ他の点においては、前記構成例と同様の作用効果を得ることが可能となる。
【実施例３】
【００３７】
図５及び図６において、さらに他の構成例が示されている。
この例においては、防具本体３が、一方のクリップ４の一方の挟持部１０ａと他方のクリップ５の一方の挟持部１０ａとの間に固定されて架空配電線２に沿った方向に蛇腹状に折り畳み可能な第1のシート部材２０と、一方のクリップ４の他方の挟持部１１ａと他方のクリップ５の他方の挟持部１１ａとの間に固定されて架空配電線２に沿った方向に蛇腹状に折り畳み可能な第２のシート部材２１とによって構成されている。
【００３８】
クリップ４，５は、他方の挟持部１１ａの先端部は、一方の挟持部１０ａの先端部よりも長く形成され、この他方の挟持部１１ａの先端部には、一方の挟持部１０ａの側に突出する突出部１１ｈが形成されている。また、一方の挟持部１０ａの先端部と中間部には、他方の挟持部１１ａの側へ突出した突出部１０ｈ，１０ｉが形成され、これに対応して、他方の挟持部１１ａの前記突出部１０ｈ，１０ｉと対峙する部分には、突出部１０ｈ，１０ｉを受ける凹部１１ｉ，１１ｊが設けられている。そして、他方の挟持部１１ａの突出部１１ｈの先端近傍と凹部１１ｊの近傍（この例では、凹部１１ｉと凹部１１ｊの間に位置する凹部１１ｊの近傍）に貫通孔１１ｋ，１１ｍが形成され、また、一方の挟持部１０ａのそれぞれの突出部１０ｈ，１０ｉの先端近傍に貫通孔１０ｋ，１０ｍが形成されている。
【００３９】
一方のクリップ４の一方の挟持部１０ａと他方のクリップ５の一方の挟持部１０ａは、互いの対応する貫通孔１０ｋ，１０ｍに固定された一対の伸縮棒６ｂ−１，６ｂ−２により連結され、一方のクリップ４の他方の挟持部１１ａと他方のクリップ５の他方の挟持部１１ａは、互いに対応する貫通孔１１ｋ，１１ｍに固定された一対の伸縮棒６ｂ−３，６ｂ−４により連結されている。
【００４０】
そして、一方のクリップ４の一方の挟持部１０ａと他方のクリップ５の一方の挟持部１０ａとを連結する一対の伸縮棒６ｂ−１，６ｂ−２の両端部近傍には、第１のシート部材の対応する端部がマジックテープ（登録商標）等によって固定されており、この一対の伸縮棒６ｂ−１，６ｂ−２は、第１のシート部材２０をその表裏を縫うように貫通し、自身の伸縮に伴って第１のシート部材２０を蛇腹状に伸縮させるようにしている。
【００４１】
また、一方のクリップ４の他方の挟持部１１ａと他方のクリップ５の他方の挟持部１１ａとを連結する一対の伸縮棒６ｂ−３，６ｂ−４の両端部近傍には、第２のシート部材２１の対応する端部がマジックテープ（登録商標）等によって固定されており、この一対の伸縮棒６ｂ−３，６ｂ−４は、第２のシート部材２１をその表裏を縫うように貫通し、自身の伸縮に伴って第２のシート部材２１を蛇腹状に伸縮させるようにしている。
【００４２】
したがって、クリップ４，５の一方の挟持部１１ａｇの凹部１１ｉと凹部１１ｊとの間と、他方の挟持部１０ａの凸部１０ｈと凸部１０ｉとの間とにより電線２を挟み込めば、電線２は、第１のシート部材２０と第２のシート部材２１により周囲が覆われて防護されることになり、一対のクリップ４，５の間隔を広げれば、図６に示されるように、伸縮棒６ｂ−１〜６ｂ−４が伸長すると共に、これに固定されているシート部材２０，２１が伸長し、電線２を覆う範囲が長くなる。また、一対のクリップ４，５の間隔を狭めれば（一対のクリップ４，５を互いに近接させれば）、伸縮棒６ｂ−１〜６ｂ−４が収縮すると共に、これに固定されているシート部材２０，２１も収縮することとなる。
【００４３】
このような構成においても、引下げ線１０２に絶縁防護具１を取り付ける場合には、防具本体３を縮めた状態にして引下げ線１０２の上部に取り付け、下側のクリップ５をヤットコ等の間接活線把持具で把持して開き、その状態で下方へ移動させれば、上側のクリップ４の位置が保持されたまま、伸縮棒６ｂ−１〜６ｂ−４が伸長して防具本体３が伸縮棒６ｂ−１〜６ｂ−４に沿って伸長し、引下げ線１０２の所望範囲を覆うことが可能となる。
【００４４】
また、引下げ線１０２を絶縁防護具１によって防護した状態から、絶縁防護具１を取り外すには、上側または下側のクリップ４，５を間接活線把持具で把持して一方のクリップを開き、その状態でそのクリップを他方のクリップに向かって動かせば、伸縮棒６ｂ−１〜６ｂ−４が収縮して防具本体３が伸縮棒６ｂ−１〜６ｂ−４に沿って収縮し、その状態で、一方のクリップを防具本体３と共に電線から取り外し、その後、他方のクリップを防具本体３と共に電線から取り外せば、絶縁防護具１の取り外しは完了する。
【００４５】
なお、上述の構成例においては、引下げ線１０２に伸縮式絶縁防護具１を設けた例を示したが、高圧架線などの他の架空配電線に同様に採用してもよい。上述したいずれの実施例も、ほぼ直線状に架設された架空配電線に対して有効であり、特に、実施例１の構成においては、湾曲させた架空配電線に対しても有効である。
【符号の説明】
【００４６】
１  伸縮式絶縁防護具
２  架空配電線
３  防具本体
４，５  クリップ
６  ガイド部材
６ａ  バネ部材
６ｂ  伸縮棒
６ｂ−１〜６ｂ−４  伸縮棒
８  リング部材
１０ａ，１１ａ  挟持部
２０  第１のシート部材
２１  第２のシート部材
３０  ダクト部材
１０２  引下げ線
【図１】
2013192302.tif 000003
【図２】
2013192302.tif 000004
【図３】
2013192302.tif 000005
【図４】
2013192302.tif 000006
【図５】
2013192302.tif 000007
【図６】
2013192302.tif 000008
【図７】
2013192302.tif 000009